(57)【特許請求の範囲】
【請求項１】
前壁に商品取出口を有するとともに後壁に補充用開口を有した本体筐体と、前記本体筐体の商品補充口を開放可能に閉塞する蓋部材と、前記本体筐体の内部に配設した温度調整手段とを備え、前記温度調整手段を通じて前記本体筐体の内部で空気を循環させることにより、前記商品取出口を開放した状態で前記本体筐体の内部に収納した商品を所望の温度状態に維持する商品収納装置において、
前記本体筐体の上壁との間に所定の間隙を確保して配設し、前記上壁との間に上部通風空間を構成する上部遮風部材と、
前記本体筐体の後壁との間に通路を構成することのできる間隙を確保して配設し、前記後壁との間に前記上部通風空間に連通した後部通風空間を構成する後部遮風部材と、
前記本体筐体の外部において前記商品取出口の下縁に対応する部位に外部吸入口を有するとともに、内部に送風手段を備え、前記送風手段が駆動した場合に前記外部吸入口から吸い込んだ空気を前記後部通風空間に送給する下部通風ダクトと
を備え、
前記本体筐体の内部には複数段のラック板を設けるとともに、前記本体筐体の後壁には前記ラック板のそれぞれに対応する部位に前記商品補充口を設け、かつ前記蓋部材は前記商品補充口をそれぞれ個別に閉塞するものであり、
前記本体筐体の内部において前記ラック板のそれぞれの後端縁と前記後壁との間には内部循環ダクトの内部吹出口から吹き出した空気の通風空間が確保してあり、
前記送風手段の駆動により、前記商品取出口から外部に漏出した空気を前記下部通風ダクト、前記後部通風空間及び前記上部通風空間を通じて前記本体筐体の周囲に循環させることを特徴とする商品収納装置。
【請求項２】
前記下部通風ダクトは、前記本体筐体の前壁から本体筐体の下方を経由し、前記外部吸入口から吸い込んだ空気を前記後部通風空間において下方から上方に送給するものであり、
前記本体筐体の前壁を覆う位置に前方遮風部材を配設し、前記上部通風空間を前方に向けて通過した空気を前記前方遮風部材によって下方に案内することを特徴とする請求項１に記載の商品収納装置。
【請求項３】
前記本体筐体の上壁と前記上部遮風部材との間に商品を配置するためのラック板を配設したことを特徴とする請求項１に記載の商品収納装置。
【発明の詳細な説明】
【技術分野】
【０００１】
本発明は、ショーケースやピッキング装置として用いられる商品収納装置に関するもので、特に本体筐体の前壁に開口を有し、この開口を介して商品の取り出しが可能となる商品収納装置に関するものである。
【背景技術】
【０００２】
本体筐体の前壁に商品取出口を有したショーケースやピッキング装置等の商品収納装置では、商品取出口に沿って空気を吹き出すことによりエアカーテンを形成し、商品取出口を開放した状態で本体筐体の内部に収納した商品を所望の温度状態に維持するようにしている。この種の商品収納装置には、商品取出口から外部に漏出した温度調整後の空気を回収し、エネルギー消費量を低減するようにしたものが提供されている。すなわち、商品取出口の下方域に外部吸入口を有するとともに、本体筐体の下方及び後方を通過して上方に至る外部通風ダクトを本体筐体に付設し、商品取出口から漏出した空気を外部通風ダクトによって回収し、再びエアカーテンとして吹き出すように構成したものである（例えば、特許文献１参照）。
【先行技術文献】
【特許文献】
【０００３】
【特許文献１】特開平６−２４１６４１号公報
【発明の概要】
【発明が解決しようとする課題】
【０００４】
ところで、特にピッキング装置として用いられる商品収納装置には、本体筐体の後壁に商品を補充するための商品補充口が設けられている場合が多い。こうした商品収納装置にあっては、蓋部材によって商品補充口を閉塞することができるものの、本体筐体の後壁に外部通風ダクトを付設することが困難となるため、商品取出口から漏出した空気を回収することができず、エネルギー消費の点で必ずしも好ましいとはいえない。
【０００５】
本発明は、上記実情に鑑みて、本体筐体の後壁に商品補充口を有したものであっても、エネルギー消費量の低減を図ることのできる商品収納装置を提供することを目的とする。
【課題を解決するための手段】
【０００６】
上記目的を達成するため、本発明に係る商品収納装置は、前壁に商品取出口を有するとともに後壁に補充用開口を有した本体筐体と、前記本体筐体の商品補充口を開放可能に閉塞する蓋部材と、前記本体筐体の内部に配設した温度調整手段とを備え、前記温度調整手段を通じて前記本体筐体の内部で空気を循環させることにより、前記商品取出口を開放した状態で前記本体筐体の内部に収納した商品を所望の温度状態に維持する商品収納装置において、前記本体筐体の上壁との間に所定の間隙を確保して配設し、前記上壁との間に上部通風空間を構成する上部遮風部材と、前記本体筐体の後壁との間に通路を構成することのできる間隙を確保して配設し、前記後壁との間に前記上部通風空間に連通した後部通風空間を構成する後部遮風部材と、前記本体筐体の外部において前記商品取出口の下縁に対応する部位に外部吸入口を有するとともに、内部に送風手段を備え、前記送風手段が駆動した場合に前記外部吸入口から吸い込んだ空気を前記後部通風空間に送給する下部通風ダクトとを備え、前記本体筐体の内部には複数段のラック板を設けるとともに、前記前記本体筐体の後壁には前記ラック板のそれぞれに対応する部位に前記商品補充口を設け、かつ前記蓋部材は前記商品補充口をそれぞれ個別に閉塞するものであり、前記本体筐体の内部において前記ラック板のそれぞれの後端縁と前記後壁との間には内部循環ダクトの内部吹出口から吹き出した空気の通風空間が確保してあり、前記送風手段の駆動により、前記商品取出口から外部に漏出した空気を前記下部通風ダクト、前記後部通風空間及び前記上部通風空間を通じて前記本体筐体の周囲に循環させることを特徴とする。
【０００７】
また、本発明は、上述した商品収納装置において、前記下部通風ダクトは、前記本体筐体の前壁から本体筐体の下方を経由し、前記外部吸入口から吸い込んだ空気を前記後部通風空間において下方から上方に送給するものであり、前記本体筐体の前壁を覆う位置に前方遮風部材を配設し、前記上部通風空間を前方に向けて通過した空気を前記前方遮風部材によって下方に案内することを特徴とする。
【０００８】
また、本発明は、上述した商品収納装置において、前記本体筐体の上壁と前記上部遮風部材との間に商品を配置するためのラック板を配設したことを特徴とする。
【発明の効果】
【０００９】
本発明によれば、本体筐体の後壁との間に通路となる後部通風空間を構成しているため、この後部通風空間において商品補充口から本体筐体の内部に商品の補充を行うことが可能である。しかも、後部通風空間に対して商品取出口から漏出した温度調整後の空気を送給するようにしているため、蓋部材を開けて商品補充口を開放した場合にも、本体筐体の内部に急激な温度変化を来す恐れがない。さらに、漏出した空気で本体筐体の周囲を取り囲むことにより、本体筐体を通じた外気との熱の授受が抑制されるため、省エネルギー化を図ることが可能となる。
【図面の簡単な説明】
【００１０】
【図１】図１は、本発明の実施の形態１である商品収納装置を示した断面側面図である。
【図２】図２は、図１に示した商品収納装置を概念的に示す斜視図である。
【図３】図３は、本発明の実施の形態２である商品収納装置を示した断面側面図である。
【発明を実施するための形態】
【００１１】
以下、添付図面を参照しながら本発明に係る商品収納装置の好適な実施の形態について詳細に説明する。
【００１２】
（実施の形態１）
図１及び図２は、本発明の実施の形態１である商品収納装置を示したものである。ここで例示する商品収納装置は、物流の拠点となる配送センター建屋１の内部に設置され、所望の温度状態、例えば冷凍状態で搬入された商品を出荷先ごとに仕分ける作業（ピッキング）において一時保管ラックとして適用されるもので、本体筐体１０を備えている。本体筐体１０は、底壁１１、後壁１２、２つの側壁１３、上壁１４及び前壁１５によって箱状に構成したものである。これらの本体筐体１０を構成する壁１１，１２，１３，１４，１５は、通気性がほぼゼロであり、断熱性を有した部材によって構成してある。この本体筐体１０には、前壁１５に商品取出口１６が設けてある。商品取出口１６は、２つの側壁１３の前端部間において上壁１４の前端から底壁１１よりもわずかに上方となる部位に渡って形成した大型の開口である。本体筐体１０の内部には、内部循環ダクト２０及び複数段（実施の形態１では４段）のラック板３０が配設してある。
【００１３】
内部循環ダクト２０は、本体筐体１０の下方部に形成した通風のための空間であり、商品取出口１６の下縁部において前壁１５よりも内方側となる位置に内部吸入口２１を有する一方、後壁１２よりも内方側となる位置に内部吹出口２２を有している。内部吸入口２１及び内部吹出口２２は、それぞれ一方の側壁１３から他方の側壁１３までの間において上方に向けて開口している。図からも明らかなように、内部循環ダクト２０の内部には、循環送風ファン２３及び蒸発器（温度調整手段）２４が配設してある。循環送風ファン２３は、駆動した場合に、内部吸入口２１から内部循環ダクト２０に空気を吸い込む一方、内部循環ダクト２０に吸い込んだ空気を内部吹出口２２から吹き出すように機能するものである。蒸発器２４は、図示していない圧縮機、凝縮器及び膨張弁との間に冷凍サイクルを構成し、これらの間に冷媒を循環させた場合に、内部循環ダクト２０を通過する空気を冷却するように機能したものである。
【００１４】
ラック板３０は、それぞれが前方に向けてわずかに低くなるように傾斜して配置したもので、個々の上面に商品の載置面を構成している。それぞれのラック板３０は、後端縁が本体筐体１０の後壁１２から離隔して配置してあり、内部循環ダクト２０の内部吹出口２２から本体筐体１０の上壁１４までの間に通風のための空間を確保している。ラック板３０の前端部には、ラックガイド板３１が配設してある。ラックガイド板３１は、前方に向かうに従って漸次下方に傾斜するように配設した板状部材であり、個々の前縁が内部循環ダクト２０の内部吸入口２１に向けて延在している。図には明示していないが、それぞれのラック板３０の上面には、前後方向に沿って複数のローラが回転可能に配設してある。これらのローラは、上面に商品が載置された場合に適宜回転することにより、ラック板３０の商品を傾斜に従って前方に移動させるものである。
【００１５】
本体筐体１０の後壁１２において個々のラック板３０に対応する部位には、商品補充口１２ａが設けてある。商品補充口１２ａは、ラック板３０の上面に対して本体筐体１０の外部から商品を補充するための開口である。それぞれの商品補充口１２ａには、蓋部材４０が配設してある。蓋部材４０は、商品補充口１２ａを閉塞する大きさに形成した板状部材である。この蓋部材４０は、本体筐体１０の壁と同様、通気性がほぼゼロであり、断熱性を有した部材によって構成してある。個々の蓋部材４０は、上縁部に設けた軸部材４１を介して後壁１２に支持させてあり、軸部材４１を中心として回転させることにより、商品補充口１２ａを開放することが可能である。
【００１６】
一方、この商品収納装置では、配送センター建屋１の内部において本体筐体１０の上方となる位置には上部遮風板（上部遮風部材）５０が配設してあり、本体筐体１０の両側となる位置にはそれぞれ側部遮風板６０が配設してあり、本体筐体１０の後方となる位置には後部遮風幕（後部遮風部材）７０が配設してあり、本体筐体１０の前方となる位置には前部遮風幕８０が配設してある。
【００１７】
上部遮風板５０は、本体筐体１０の上壁１４よりも大きな寸法を有した板状部材であり、通気性がほぼゼロとなる部材によって構成してある。この上部遮風板５０は、本体筐体１０の上壁１４との間に所定の間隙を確保した状態で上壁１４を覆う位置に配設してあり、上壁１４との間に上部通風空間５１を構成している。
【００１８】
側部遮風板６０は、それぞれ本体筐体１０の側壁１３よりも大きな寸法を有した板状部材であり、上部遮風板５０と同様、通気性がほぼゼロとなる部材によって構成してある。それぞれの側部遮風板６０は、上部遮風板５０の両側縁からそれぞれ下方に垂下し、個々の内表面を本体筐体１０の側壁１３外表面に当接させた状態で配設してある。側部遮風板６０の下端部は、それぞれ配送センター建屋１の床面１ａに接触、もしくは近接した状態にある。
【００１９】
後部遮風幕７０及び前部遮風幕８０は、それぞれビニール等の通気性がほぼゼロとなる合成樹脂材により、可撓性を有した薄膜状に構成したもので、上部遮風板５０の後縁及び前縁からそれぞれ垂れ下がるように配設してある。後部遮風幕７０及び前部遮風幕８０の下端部は、それぞれ配送センター建屋１の床面１ａに接触、もしくは近接した状態にある。後部遮風幕７０及び前部遮風幕８０の両側縁部は、それぞれ側部遮風板６０に接触、もしくは近接した状態にある。
【００２０】
後部遮風幕７０は、本体筐体１０の後壁１２との間に所定の間隙を確保した状態で後壁１２を覆う位置に配設してあり、後壁１２との間に上部通風空間５１に連通した後部通風空間７１を構成している。この後部通風空間７１は、本体筐体１０の後壁１２と後部遮風幕７０との間に人が出入りするだけの寸法が確保してあり、これらの間を通路として用いることが可能である。
【００２１】
前部遮風幕８０は、本体筐体１０の前壁１５との間に所定の間隙を確保した状態で前壁１５を覆う位置に配設してあり、前壁１５との間に前部通風空間８１を構成している。この前部通風空間８１は、本体筐体１０の前壁１５と前部遮風幕８０との間に人が出入りするだけの寸法が確保してあり、これらの間を通路として用いることが可能である。
【００２２】
図には明示していないが、上部遮風板５０、後部遮風幕７０及び前部遮風幕８０は、それぞれ透光性を有した部材によって構成してあり、配送センター建屋１の内部に配設した照明光（図示せず）を透過することが可能である。
【００２３】
さらに、上記商品収納装置では、本体筐体１０の底壁１１と、配送センター建屋１の床面１ａとの間に下部通風ダクト９０が設けてある。下部通風ダクト９０は、本体筐体１０の外部において商品取出口１６の下縁に対応する部位に外部吸入口９１を有し、かつ本体筐体１０の外部において後壁１２と後部遮風幕７０との間の後部通風空間７１の下方部に外部吹出口９２を有したものである。この下部通風ダクト９０の内部には、回収用送風ファン（送風手段）９３が配設してある。回収用送風ファン９３は、駆動した場合に、外部吸入口９１から下部通風ダクト９０に空気を吸い込み、本体筐体１０の下方を通過した後、下部通風ダクト９０に吸い込んだ空気を外部吹出口９２から吹き出すように機能するものである。
【００２４】
上記のように構成した商品収納装置では、蓋部材４０を開けることによって本体筐体１０の後壁１２に設けた商品補充口１２ａを開放させれば、本体筐体１０の外部からそれぞれのラック板３０の上面に一時保管すべき商品を載置させることができる。ラック板３０の上面に載置された商品は、ローラ（図示せず）が適宜回転することによりラック板３０の傾斜に従って順次前方側に移動する。これにより、商品収納装置においては、ラック板３０の前端側から後端側に向けて商品が順番に配列された状態で収納されることになり、常にラック板３０の最前列に収納された商品を商品取出口１６から取り出すことが可能となる。
【００２５】
この間、上記商品収納装置では、蒸発器２４を含む冷凍サイクルを駆動するとともに、循環送風ファン２３を駆動すると、本体筐体１０の内部の空気が内部吸入口２１から内部循環ダクト２０に吸い込まれるとともに、内部循環ダクト２０に吸い込まれた空気が内部吹出口２２から本体筐体１０の内部に吹き出されることになる。内部循環ダクト２０に吸い込まれた空気は、蒸発器２４を通過する際に空気が熱交換により冷却されるため、本体筐体１０の内部に対して常に冷却された状態で供給される。これにより、ラック板３０を介して本体筐体１０の内部に収納された商品が仕分けされるまでの間に暫時時間を要したとしても、所望の温度、例えば冷凍温度を維持した状態で一時保管することが可能となる。
【００２６】
ここで、この種の商品収納装置では、本体筐体１０の前壁１５に設けた商品取出口１６が常時開口した状態となるため、温度制御された内部の空気が外部に漏出してエネルギー損失を招来する恐れがある。また、蒸発器２４を含む冷凍サイクルを駆動している間に商品を補充すべく蓋部材４０を開けて商品補充口１２ａを開放した場合には、この商品補充口１２ａを通じて本体筐体１０に内部に外気が進入する事態が発生してエネルギー損失を招来する恐れがある。
【００２７】
しかしながら、上述の商品収納装置によれば、回収用送風ファン９３を駆動すると、本体筐体１０の外部において商品取出口１６の下縁に対応する部位に開口した外部吸入口９１から下部通風ダクト９０に空気が吸い込まれるとともに、下部通風ダクト９０に吸い込まれた空気が外部吹出口９２を介して後部通風空間７１に吹き出される。後部通風空間７１に吹き出された空気は、本体筐体１０の後壁１２と後部遮風幕７０との間に案内されて上昇し、上壁１４と上部遮風板５０との間の上部通風空間５１を前方に移動した後、前部遮風幕８０に案内されて下降し、外部吸入口９１もしくは内部循環ダクト２０の内部吸入口２１に至ることになる。外部吸入口９１から下部通風ダクト９０に吸い込まれる空気は、本体筐体１０の内部で冷却されたものである。従って、本体筐体１０の周囲が冷却された空気によって取り囲まれることになり、本体筐体１０を通じた外気との熱の授受が抑制され、省エネルギー化を図ることが可能となる。
【００２８】
しかも、本体筐体１０の後壁１２との間に構成した後部通風空間７１には、人が出入りするだけの寸法が確保してある。さらに、後部遮風幕７０としては可撓性を有したものを適用している。このため、後部通風空間７１に立ち入って商品補充口１２ａから本体筐体１０の内部に商品の補充を行うことが可能である。この場合、後部通風空間７１に対して商品取出口１６から漏出した温度調整後の空気を送給するようにしているため、蓋部材４０を開けて商品補充口１２ａを開放した場合にも、本体筐体１０の内部に急激な温度変化を来す恐れがない。これらの結果、本体筐体１０の後壁１２に商品補充口１２ａを有した商品収納装置であっても、エネルギー消費量を低減することができるようになる。尚、後部遮風幕７０及び前部遮風幕８０については、カーテン状のものを適用しても良いが、上下方向に延びる細長い切り込みを設けることで暖簾状に形成すれば、人の出入りを容易化することが可能となる。
【００２９】
（実施の形態２）
図３は、本発明の実施の形態２である商品収納装置を示したものである。ここで例示する商品収納装置は、実施の形態１と同様、物流の拠点となる配送センター建屋１の内部に設置され、所望の温度状態、例えば冷凍状態で搬入された商品を出荷先ごとに仕分ける作業において一時保管ラックとして適用されるもので、実施の形態１とは本体筐体１０の内部に設けたラック板３０の数、及び本体筐体１０の外部に商品を配置するためのラック板３０を配設した点が相違する。すなわち、実施の形態２の商品収納装置では、本体筐体１０の内部に２段のラック板３０を配設している。本体筐体１０の上壁１４と上部遮風板５０との間には、新たなラック板１３０を配設するとともに、本体筐体１０の上壁１４にラック板の機能を付与している。これらの本体筐体１０の外部に配設したラック板（以下、本体筐体１０の内部に配設したラック板３０と区別する場合に「外部ラック板１３０」と称する）は、本体筐体１０の内部に配設したラック板３０（以下、外部ラック板１３０と区別する場合に「内部ラック板３０」と称する）と同様、それぞれが前方に向けてわずかに低くなるように傾斜して配置してあり、個々の上面に商品の載置面が構成されている。図には明示していないが、それぞれの外部ラック板１３０の上面に前後方向に沿って複数のローラ（図示せず）が回転可能に配設してある点も、実施の形態１と同様である。尚、実施の形態２において実施の形態１と同様の構成に関しては、同一の符号を付してそれぞれの詳細説明を省略する。
【００３０】
上記のように構成した商品収納装置では、蓋部材４０を開けることによって本体筐体１０の後壁１２に設けた商品補充口１２ａを開放させれば、本体筐体１０の外部からそれぞれの内部ラック板３０の上面に一時保管すべき商品を載置させることができる。外部ラック板１３０に対しては、本体筐体１０の外部に配設されたものであるため、そのままの状態で個々の上面に一時保管すべき商品を載置させることができる。それぞれのラック板３０，１３０に載置された商品は、ローラ（図示せず）が適宜回転することによりラック板３０，１３０の傾斜に従って順次前方側に移動する。これにより、商品収納装置においては、ラック板３０，１３０の前端側から後端側に向けて商品が順番に配列された状態で収納されることになり、常にラック板３０，１３０の最前列に収納された商品を本体筐体１０の前壁１５側から取り出すことが可能となる。
【００３１】
この間、上記商品収納装置では、蒸発器２４を含む冷凍サイクルを駆動するとともに、循環送風ファン２３を駆動すると、本体筐体１０の内部の空気が内部吸入口２１から内部循環ダクト２０に吸い込まれるとともに、内部循環ダクト２０に吸い込まれた空気が内部吹出口２２から本体筐体１０の内部に吹き出されることになる。内部循環ダクト２０に吸い込まれた空気は、蒸発器２４を通過する際に空気が熱交換により冷却されるため、本体筐体１０の内部に対して常に冷却された状態で供給される。これにより、内部ラック板３０を介して本体筐体１０の内部に収納された商品が仕分けされるまでの間に暫時時間を要したとしても、所望の温度、例えば冷凍温度を維持した状態で一時保管することが可能となる。
【００３２】
一方、上述の商品収納装置によれば、回収用送風ファン９３を駆動すると、本体筐体１０の外部において商品取出口１６の下縁に対応する部位に開口した外部吸入口９１から下部通風ダクト９０に空気が吸い込まれるとともに、下部通風ダクト９０に吸い込まれた空気が外部吹出口９２を介して後部通風空間７１に吹き出される。後部通風空間７１に吹き出された空気は、本体筐体１０の後壁１２と後部遮風幕７０との間に案内されて上昇し、上壁１４と上部遮風板５０との間の上部通風空間５１を前方に移動した後、前部遮風幕８０に案内されて下降し、外部吸入口９１もしくは内部循環ダクト２０の内部吸入口２１に至ることになる。外部吸入口９１から下部通風ダクト９０に吸い込まれる空気は、本体筐体１０の内部で冷却されたものである。従って、外部ラック板１３０に一時保管された商品に対して冷却された空気を供給することができ、商品が仕分けされるまでの間に暫時時間を要したとしても、所望の温度、例えば冷蔵温度を維持した状態で一時保管することが可能となる。さらに、本体筐体１０の周囲が冷却された空気によって取り囲まれることになり、本体筐体１０を通じた外気との熱の授受が抑制され、省エネルギー化を図ることが可能となる。
【００３３】
しかも、本体筐体１０の後壁１２との間に構成した後部通風空間７１には、人が出入りするだけの寸法が確保してある。さらに、後部遮風幕７０としては可撓性を有したものを適用している。このため、後部通風空間７１に立ち入って商品補充口１２ａから本体筐体１０の内部に商品の補充を行うことが可能である。この場合、後部通風空間７１に対して商品取出口１６から漏出した温度調整後の空気を送給するようにしているため、蓋部材４０を開けて商品補充口１２ａを開放した場合にも、本体筐体１０の内部に急激な温度変化を来す恐れがない。これらの結果、本体筐体１０の後壁１２に商品補充口１２ａを有した商品収納装置であっても、エネルギー消費量を低減することができるようになる。
【００３４】
尚、上述した実施の形態１及び実施の形態２では、いずれもピッキング作業の際に用いられる一時保管ラックを例示しているが、本発明に係る商品収納装置はこれに限らず、例えば店舗に販売商品を陳列させるショーケースとしても適用することが可能である。
【００３５】
また、上述した実施の形態１及び実施の形態２では、側部遮風板６０として独立したものを適用しているが、配送センター建屋１の壁を利用することで側部遮風板６０を省略することが可能である。
【００３６】
さらに、前部遮風幕８０を設けることで、より確実に商品取出口１６から漏出した空気で本体筐体１０の周囲を取り囲むことが可能になるとともに、前部通風空間８１に人が出入りするだけの寸法が確保してあるため、ラック板３０，１３０に一時保管した商品を取り出す際の外部との熱の授受を抑制することができるが、必ずしも前部遮風幕８０を設ける必要はない。空気を循環させるのであれば、単に上部遮風板５０の先端部に下方に向けて上部ガイド板５０ａを設けておけば十分である。
【符号の説明】
【００３７】
１０      本体筐体
１２      後壁
１２ａ      商品補充口
１４      上壁
１５      前壁
１６      商品取出口
４０      蓋部材
５０      上部遮風板
５１      上部通風空間
７０      後部遮風幕
７１      後部通風空間
８０      前部遮風幕
９０      下部通風ダクト
９１      外部吸入口
９２      外部吹出口
９３      回収用送風ファン
【図１】
0005760718.tif 000002
【図２】
0005760718.tif 000003
【図３】
0005760718.tif 000004